(57)【特許請求の範囲】
【請求項１】
空気調和機を制御するメインマイコンを実装した制御部と、液晶と、前記メインマイコンとシリアルに通信を行い前記液晶を駆動するドライバーＩＣとを実装した表示部と、風の向きを変える風向偏向板と、その風向偏向板を駆動するステッピングモータとからなり、前記制御部と前記表示部がリード線によって接続され、液晶が実装された表示部にシリアル−パラレル変換ＩＣを搭載し、その表示部にステッピングモータを結線し、前記メインマイコンより前記表示部上のシリアル−パラレル変換ＩＣにシリアル信号を送ることにより前記ステッピングモータを駆動させる空気調和機の電子制御装置。
【請求項２】
空気調和機を制御するメインマイコンを実装した制御部と、液晶と、前記メインマイコンとシリアルに通信を行い前記液晶を駆動するドライバーＩＣとを実装した表示部と、制御データを内蔵し、前記メインマイコンとシリアルに通信を行うシリアルＰＲＯＭを具備し、前記制御部と前記表示部がリード線によって接続され、前記表示部に前記シリアルＰＲＯＭが搭載されている空気調和機の電子制御装置。
【請求項３】
シリアルＰＲＯＭに液晶表示用のデータを記憶させた請求項２に記載の空気調和機の電子制御装置。
【請求項４】
空気調和機を制御するメインマイコンを実装した制御部と、液晶と、前記メインマイコンとシリアルに通信を行い前記液晶を駆動するドライバーＩＣとを実装した表示部と、前記メインマイコンとシリアルに通信を行い、無通電時にも前記制御部のメインマイコンのデータを保持するＥＥＰＲＯＭを具備し、前記制御部と前記表示部がリード線によって接続され、前記表示部に前記ＥＥＰＲＯＭが搭載されている空気調和機の電子制御装置。
【請求項５】
空気調和機を制御するメインマイコンを実装した制御部と、液晶と、前記メインマイコンとシリアルに通信を行い前記液晶を駆動するドライバーＩＣとを実装した表示部と、赤外線による遠隔操作装置からの制御信号を受信する受光ＩＣとを具備し、前記制御部と前記表示部がリード線によって接続され、前記受光ＩＣが前記表示部に搭載されている空気調和機の電子制御装置。
【発明の詳細な説明】
【０００１】
【発明の属する技術分野】
本発明は空気調和機の電子制御装置に関するものである。
【０００２】
【従来の技術】
従来の空気調和機の電子制御装置は、図４の電気ブロック図に示すように、１つのプリント基板４１上に、空気調和機を制御するメインマイコン４２と、そのメインマイコン４２とシリアルに通信を行い制御データを記憶しているシリアルＰＲＯＭ４３と、前記メインマイコン４２とシリアルに通信を行い空気調和機の故障時の動作状態を記憶させておくＥＥＰＲＯＭ４４とを実装した制御部４５と、１つのプリント基板４６上に、液晶４７と、前記メインマイコン４２とシリアルに通信を行い液晶４７を駆動するドライバーＩＣ４８とを実装した表示部４９と、１つのプリント基板４１０上に、赤外線を利用した遠隔制御装置からの制御信号を受信する受光ＩＣ４１１を実装した受信部４１２と、風向偏向板４１３と、その風向偏向板４１３を動かすステッピングモータ４１４とからなり、制御部４５と表示部４９はリード線４１５によって、また、制御部４５と受信部４１２はリード線４１６によってそれぞれ接続され、ステッピングモータ４１４は制御部４５に接続されている。なお、前記メインマイコン４２には前記液晶４７の表示用データが記憶されている。
【０００３】
【発明が解決しようとする課題】
上記従来の空気調和機の電子制御装置においては、制御部と表示部および受信部の間にそれぞれリード線があるため、制御部からのリード線が多くなり、組み立て時および保守点検時にリード線の収納に困難が生じ、また、制御データを記憶しているシリアルＰＲＯＭが制御部に実装されているため、制御内容の違う機種向けにその機種の数だけの種類の制御部を製造する必要があり、また、空気調和機の故障時の動作状態を記憶させておくＥＥＰＲＯＭが制御部に実装されているため、電子制御装置の故障時において、電子制御装置全体を解析する必要があった。
【０００４】
本発明はこのような従来の課題を解決するものであり、空気調和機の電子制御装置の組み立て性および保守点検性に優れ、機種間の制御内容の相違による製造時の管理工数の削減を実現することを目的とするものである。
【０００５】
【課題を解決するための手段】
上記課題を解決するために、本発明は、空気調和機を制御するメインマイコンを実装した制御部と、液晶と、前記メインマイコンとシリアルに通信を行い前記液晶を駆動するドライバーＩＣとを実装した表示部と、風の向きを変える風向偏向板と、その風向偏向板を駆動するステッピングモータとからなり、前記制御部と前記表示部がリード線によって接続されている空気調和機の電子制御装置において、液晶が実装された表示部にシリアル−パラレル変換ＩＣを搭載し、その表示部にステッピングモータを結線し、前記メインマイコンより前記表示部上のシリアル−パラレル変換ＩＣにシリアル信号を送ることにより前記ステッピングモータを駆動させるものであり、これにより、電子制御装置のリード線を削減することができ、組み立て性および保守点検性の優れた電子制御装置を得ることができる。
【０００６】
【発明の実施の形態】
本発明の請求項１に記載の発明は、空気調和機を制御するメインマイコンを実装した制御部と、液晶と、前記メインマイコンとシリアルに通信を行い前記液晶を駆動するドライバーＩＣとを実装した表示部と、風の向きを変える風向偏向板と、その風向偏向板を駆動するステッピングモータとからなり、前記制御部と前記表示部がリード線によって接続され、液晶が実装された表示部にシリアル−パラレル変換ＩＣを搭載し、その表示部にステッピングモータを結線し、前記メインマイコンより前記表示部上のシリアル−パラレル変換ＩＣにシリアル信号を送ることにより前記ステッピングモータを駆動させる空気調和機の電子制御装置であり、制御部と表示部間のシリアル通信路を利用してステッピングモータの制御を行うことにより、電子制御装置のリード線を削減することができ、組み立て性および保守点検性を向上させることができる。
【０００７】
本発明の請求項２に記載の発明は、空気調和機を制御するメインマイコンを実装した制御部と、液晶と、前記メインマイコンとシリアルに通信を行い前記液晶を駆動するドライバーＩＣとを実装した表示部と、制御データを内蔵し、前記メインマイコンとシリアルに通信を行うシリアルＰＲＯＭを具備し、前記制御部と前記表示部がリード線によって接続され、前記表示部に前記シリアルＰＲＯＭが搭載されている空気調和機の電子制御装置であり、制御部と表示部間のシリアル通信路を利用して表示部上にシリアルＰＲＯＭを実装することにより、機種間の違いを表示部の違いだけに限定し、製造管理工数を削減できる。
【０００８】
本発明の請求項３に記載の発明は、シリアルＰＲＯＭに液晶表示用のデータを記憶させた請求項２に記載の空気調和機の電子制御装置であり、液晶表示用のデータをシリアルＰＲＯＭとして表示部に持たせることにより、機種間の違いによって液晶表示の内容を変えることが、制御部を全く変えることなくでき、製造管理工数を削減できる。
【０００９】
本発明の請求項４に記載の発明は、空気調和機を制御するメインマイコンを実装した制御部と、液晶と、前記メインマイコンとシリアルに通信を行い前記液晶を駆動するドライバーＩＣとを実装した表示部と、前記メインマイコンとシリアルに通信を行い、無通電時にも前記制御部のメインマイコンのデータを保持するＥＥＰＲＯＭを具備し、前記制御部と前記表示部がリード線によって接続され、前記表示部に前記ＥＥＰＲＯＭが搭載されている空気調和機の電子制御装置であり、制御部と表示部間のシリアル通信路を利用して表示部上にＥＥＰＲＯＭを実装し、空気調和機の故障時の状態をＥＥＰＲＯＭに書き込むことにより、故障時の解析を制御部に手を加えることなくでき、保守点検性を改善できる。
【００１０】
本発明の請求項５に記載の発明は、空気調和機を制御するメインマイコンを実装した制御部と、液晶と、前記メインマイコンとシリアルに通信を行い前記液晶を駆動するドライバーＩＣとを実装した表示部と、赤外線による遠隔操作装置からの制御信号を受信する受光ＩＣとを具備し、前記受光ＩＣが前記表示部に搭載されている空気調和機の電子制御装置であり、表示部に受光ＩＣが搭載されていることにより、電子制御装置のリード線を削減することができ、組み立て性および保守点検性を向上させることができる。
【００１１】
以下、本発明の実施の形態について図面を参照しつつ説明する。
（実施の形態１）
図１は本発明の実施の形態１における空気調和機の電子制御装置の電気ブロック図であり、１つのプリント基板１１上に、空気調和機を制御するメインマイコン１２を実装した制御部１５と、１つのプリント基板１６上に、液晶１７と、前記メインマイコン１２にシリアルにデータを通信し液晶１７を駆動するドライバーＩＣ１８と、前記メインマイコン１２からのシリアル信号をパラレル信号に変換するシリアル−パラレル変換ＩＣ１２０とを実装した表示部１９と、風向偏向板１１３と、その風向偏向板１１３を動かすステッピングモータ１１４とからなり、制御部１５と表示部１９はリード線１１５によって接続され、ステッピングモータ１１４は表示部１９に接続されている。なお、前記メインマイコン１２には前記液晶１７の表示用データが記憶されている。
【００１２】
上記電子制御装置では、制御部１５と表示部１９間のシリアル通信路であるリード線１１５を利用して、前記メインマイコン１２より表示部１９上のシリアル−パラレル変換ＩＣ１２０にシリアル信号を送ることによりステッピングモータ１１４を駆動させる。
【００１３】
上記構成において、ステッピングモータ１１４のリード線を表示部１９に接続することにより、その長さを短くすることができ、電子制御装置の構成を簡素化し、組み立て性および保守点検性を向上できる。また、ステッピングモータ１１４は駆動信号としてパルス信号を用いるため、リード線から放射ノイズを発生させるので、このリード線の長さが短いことは電子制御装置からの放射ノイズを低減させることにつながるものである。さらに、制御部１５と表示部１９間のリード線１１５はステッピングモータ１１４の個数に関係せず一定であり、ステッピングモータ１１４の個数が多くなるほど効果が大きい。
【００１４】
（実施の形態２）
図２は本発明の実施の形態２における空気調和機の電子制御装置の電気ブロック図であり、１つのプリント基板２１上に、空気調和機を制御するメインマイコン２２を実装した制御部２５と、１つのプリント基板２６上に、液晶２７と、前記メインマイコン２２にシリアルにデータを通信し液晶２７を駆動するドライバーＩＣ２８とを実装した表示部２９と、メインマイコン２２内のＲＯＭから分離する形で、空気調和機のファンの回転数や圧縮機の回転数といった機種間の制御違いの制御データを内蔵し、前記メインマイコン２２とシリアルに通信を行うシリアルＰＲＯＭ２３を具備し、前記制御部２５と前記表示部２９がリード線２１５によって接続され、前記表示部２９に前記シリアルＰＲＯＭ２３が搭載されている。
【００１５】
上記構成により、機種間の制御違いは全て表示部２９に集約されており、電子制御装置として部品点数の最も多くなる制御部２５を異機種間で同じものとしてつくり込め、製造管理工数を削減できる。また、制御部２５と表示部２９間のシリアル通信ラインであるリード線２１５を利用してシリアルＰＲＯＭ２３と通信できるため、シリアルＰＲＯＭ２３を表示部２９上に実装した場合のリード線２１５の増加はわずかである。
【００１６】
なお、上記シリアルＰＲＯＭ２３に液晶２７の表示データを記憶させることにより、機種間の制御内容違いに液晶表示内容を加えることができる。また、液晶表示内容を変更する場合にも、表示部２９上に実装するシリアルＰＲＯＭ２３の内容を再設計するだけでよく、設計工数の削減ができる。
【００１７】
（実施の形態３）
本発明の実施の形態３における空気調和機の電子制御装置は、上記の実施の形態２における空気調和機の電子制御装置の電気ブロック図を示す図２において、シリアルＰＲＯＭ２３の代わりに、空気調和機が故障したときのメインマイコン２２の制御データを書き込んだＥＥＰＲＯＭを実装したものであり、電子制御装置に故障が起った時等、電子制御装置の解析を行う必要が生じた場合に、表示部２９だけを取り外して解析すればよく、保守点検性に優れている。
【００１８】
（実施の形態４）
図３は本発明の実施の形態４における空気調和機の電子制御装置の電気ブロック図であり、１つのプリント基板３１上に空気調和機を制御するメインマイコン３２を実装した制御部３５と、１つのプリント基板３６上に、液晶３７と、前記メインマイコン３２にシリアルにデータを通信し液晶３７を駆動するドライバーＩＣ３８とを実装した表示部３９と、赤外線による遠隔操作装置からの制御信号を受信する受光ＩＣ３１１とを具備し、前記制御部３５と前記表示部３９がリード線３１５によって接続され、前記受光ＩＣ３１１が前記表示部３９に搭載されている。
【００１９】
表示部３９に受光ＩＣ３１１が搭載されていることにより、電子制御装置全体のリード線を削減することができ、組み立て性および保守点検性を向上させることができる。
【００２０】
また、液晶表示用に空気調和機外殻に窓を設けた場合、受光用に外殻に穴を別途設ける必要がなく、空気調和機外殻の構造を単純化することができ、デザイン面での自由度を大きくすることができる。
【００２１】
【発明の効果】
以上のように、本発明の空気調和機の電子制御装置によれば、電子制御装置のリード線を簡素化して組み立て性および保守点検性を向上させることができ、
制御部の機種間の相違をなくすることもでき、空気調和機の故障時の解析作業を容易に行えるものである。
【図面の簡単な説明】
【図１】本発明の実施の形態１における空気調和機の電子制御装置の電気ブロック図
【図２】本発明の実施の形態２における空気調和機の電子制御装置の電気ブロック図
【図３】本発明の実施の形態４における空気調和機の電子制御装置の電気ブロック図
【図４】従来の空気調和機の電子制御装置の電気ブロック図
【符号の説明】
１１，１６，２１，２６，３１，３６，４１，４６，４１０  プリント基板
１２，２２，３２，４２  メインマイコン
１５，２５，３５，４５  制御部
１７，２７，３７，４７  液晶
１８，２８，３８，４８  ドライバーＩＣ
１９，２９，３９，４９  表示部
２３，４３  シリアルＰＲＯＭ
４４  ＥＥＰＲＯＭ
１１３，４１３  風向偏向板
１１４，４１４  ステッピングモータ
１１５，２１５，３１５，４１５，４１６  リード線
１２０  シリアル−パラレル変換ＩＣ
３１１，４１１  受光ＩＣ
４１２  受信部
【図１】
0003544112.tif 000002
【図２】
0003544112.tif 000003
【図３】
0003544112.tif 000004
【図４】
0003544112.tif 000005